(57)【要約】【課題】  簡潔な構成で灯具を容易に回動できかつ任意の角度で停止することができる照明器具を提供する。【解決手段】  灯体２３をアーム２１に対して回動可能に保持する回動部３０において、灯体２３の回動を阻止して固定する時には、アーム部材２１に設けられた回動軸部２１ａに、灯体２３に設けられた操作部２４を押し付けることにより灯体２３を固定することができる。また、操作部２４を回動軸部２１ａに押し付ける力を軽減することにより、灯体２３を回動させることができるので、簡潔な構成で灯具を容易に回動できかつ任意の角度で停止することができる。【選択図】  図２
2009289457.tif 000002
【特許請求の範囲】
【請求項１】
光源を有する灯体と、前記灯体を回動部において回動可能に支持するアームとを有する照明器具であって、
前記回動部が、
前記アームに設けられ前記灯体に対して相対的に回動する回動軸部と、前記灯体に設けられ前記回動軸部を押圧固定する操作部を有することを特徴とする照明器具。
【請求項２】
前記操作部が、前記灯体側に設けられているネジ孔に螺合するネジ部が形成された操作レバーを有し、前記操作レバーを回転させることにより前記回動軸部を押圧または解放することを特徴とする請求項１記載の照明器具。
【請求項３】
前記操作部が、前記回動軸部を押圧可能な操作レバーと、前記操作レバーを前記回動軸部に押し付ける弾性体とを有することを特徴とする請求項１記載の照明器具。
【請求項４】
前記操作部が、先端側に前記灯体側に設けられているネジ孔に螺合するネジ部を有するとともに後端部に操作ノブを有する操作レバーと、前記操作レバーの先端を前記回動軸部に押し付ける弾性体とを有することを特徴とする請求項１記載の照明器具。
【発明の詳細な説明】
【技術分野】
【０００１】
本発明は、照射方向を変えることができる照明器具に関するものである。
【背景技術】
【０００２】
従来より、アームに支持された灯体の向きを変えることにより、照射方向を変えることができる照明器具が提案されている（例えば特許文献１参照）。
図５に示すように、特許文献１に記載の照明器具１００は、病院等のベッドサイドに設けられるベッドライドであり、ベッドサイドの取付台等に取付けられて角度及び向きが調整可能なアーム１０１と、アーム１０１の先端に継ぎ手１０２を介して灯具１０３が取付けられている。継ぎ手１０２はＸ方向及びＹ方向に回動可能となっており、継ぎ手１０２内部に設けられているバネによって発生する摩擦力によって、灯具１０３のＸ方向及びＹ方向の回動は、任意の回動位置で停止できるようになっている。ただし、Ｘ方向の摩擦力は、灯具１０３が首振り状態とならないように摩擦力が大きく設定されている。
このため、灯具１０３をＸ方向へ回動させる場合には、灯具１０３に設けられている取っ手１０４を握ってワイヤ１０５を矢印方向へ引くことにより、Ｘ方向の回動を規制している摩擦力を小さくして、回動を行うようになっている。
【特許文献１】特開平２−１９７００８号公報（第１図）
【発明の開示】
【発明が解決しようとする課題】
【０００３】
しかしながら、前述した特許文献１に記載の照明器具１００においては、灯具１０３を回動させる際に、回動を規制している摩擦力を小さくするためにワイヤ１０５や取っ手１０４を設けているので、部品点数が多く、組立性が悪いとともに、コストアップを招くという問題があった。
【０００４】
本発明は、従来の問題を解決するためになされたもので、簡潔な構成で灯具を容易に回動できかつ任意の角度で停止することができる照明器具を提供することを目的とする。
【課題を解決するための手段】
【０００５】
本発明の照明器具は、光源を有する灯体と、前記灯体を回動部において回動可能に支持するアームとを有する照明器具であって、前記回動部が、前記アームに設けられ前記灯体に対して相対的に回動する回動軸部と、前記灯体に設けられ前記回動軸部を押圧固定する操作部を有する構成を有している。
【０００６】
この構成により、灯体をアームに対して回動可能に保持する回動部において、灯体の回動を阻止して固定する時には、アーム部材に設けられた回動軸部に、灯体に設けられた操作レバーを押し付けることにより灯体を固定することができる。また、操作レバーを回動軸部に押し付ける力を軽減することにより、灯体を回動させることができるので、簡潔な構成で灯具を容易に回動できかつ任意の角度で停止することができる。
【０００７】
また、本発明の照明器具は、前記操作部が、前記灯体側に設けられているネジ孔に螺合するネジ部が形成された操作レバーを有し、前記操作レバーを回転させることにより前記回動軸部を押圧または解放する構成を有している。
【０００８】
この構成により、操作レバーを回転させることにより灯体側のネジ孔に螺合するネジ部を回転させて、回動軸部に対する押圧力を増して灯体の回動を固定したり、回動軸部に対する押圧力を軽減して回動可能とすることができる。
【０００９】
また、本発明の照明器具は、前記操作部が、前記回動軸部を押圧可能な操作レバーと、前記操作レバーを前記回動軸部に押し付ける弾性体とを有する構成を有している。
【００１０】
この構成により、弾性体が操作レバーを回動軸部に押し付けることにより、摩擦力を発生させて灯体の回動を固定することができる。また、弾性体の弾性力を軽減することにより摩擦力を軽減して、灯体を回動可能とすることができる。
【００１１】
さらに、本発明の照明器具は、前記操作部が、先端側に前記灯体側に設けられているネジ孔に螺合するネジ部を有するとともに後端部に操作ノブを有する操作レバーと、前記操作レバーの先端を前記回動軸部に押し付ける弾性体とを有する構成を有している。
【００１２】
この構成により、弾性体が操作レバーを回動軸部に押し付けることにより、灯体の回動を固定することができる。また、灯体を回動させる際には、操作ノブを回転させて操作レバーを回転させることにより、弾性体の弾性力を軽減することができ、灯体を回動可能とすることができる。
【発明の効果】
【００１３】
本発明は、灯体をアームに対して回動可能に保持する回動部において、灯体の回動を阻止して固定する時には、アーム部材に設けられた回動軸部に、灯体に設けられた操作レバーを押し付けることにより灯体を固定することができる。また、操作レバーを回動軸部に押し付ける力を軽減することにより、灯体を回動させることができるので、簡潔な構成で灯具を容易に回動できかつ任意の角度で停止することができるという効果を有する照明器具を提供することができるものである。
【発明を実施するための最良の形態】
【００１４】
以下、本発明の実施の形態の照明器具について、図面を用いて説明する。
図１は本発明の第１実施形態にかかる照明器具の斜視図、図２は回動部の詳細を示す斜視図である。
【００１５】
図１および図２に示すように、本発明の第１実施形態にかかる照明器具１０は、例えば、取付面である天井１１等に取付けられるライティングレール（図示省略）に沿って移動可能かつライティングレールから電力を供給されるライティングプラグ１２を有している。ライティングプラグ１２の下方にはアーム２１が取付けられており、アーム２１の下端部は光源であるランプ（図示省略）を有する灯体２３の後部に回動部３０を介して回動可能かつ固定可能に取付けられている。また、灯体２３の下面には、回動部３０を回動可能状態あるいは回動固定状態とする操作部を構成する操作レバー２４が突出して設けられている。
【００１６】
図２に示すように、アーム２１の下端部には、円筒形状をした操作部を構成する回動軸部２１ａが設けられており、回動軸部２１ａの軸方向に軸孔２１ｂを有している。軸孔２１ｂには、灯体２３に取付けられる取付ネジ等の回動軸２５が貫通しており、回動軸部２１ａは灯体２３に回動可能に支持されることになる。灯体２３および灯体２３の後面２３ａには、切欠き２３ｂが設けられており、灯体２３の回動の際に、アーム２１と干渉しないようになっている。
【００１７】
灯体２３内部には、回動軸部２１ａの外周面２１ｂに対向して操作レバー受け２６が取付けられている。操作レバー受け２６はブロック状をしており、回動軸部２１ａの外周面２１ｂに対して直交する方向（すなわち回動軸２５に直交する方向）にネジ孔２６ａが形成されている。
【００１８】
一方、回動軸２５と直交する方向に操作レバー２４が設けられており、一端は灯体２３から突出している。操作レバー２４の他端部には、操作レバー受け２６のネジ孔２６ａに螺合するネジ部２４ａが形成されて織り、操作レバー受け２６に螺合して先端面２４ｂは回動軸部２１ａに対向している。
【００１９】
従って、灯体２３をアーム２１に対して回動しないように固定する場合には、操作レバー２４をその軸回り（例えば、図２中矢印Ａ方向）に回転させて、操作レバー２４の先端面２４ｂによって回動軸部２１ａの外周面２１ｂを押圧することにより、摩擦力で固定する。一方、灯体２３をアーム２１に対して回動させて照射方向を変えたい場合には、操作レバー２４をその軸回りに反転（図２中矢印Ｂ方向に回転）させて、操作レバー２４の先端面２４ｂによる回動軸部２１ａの外周面２１ｂに対する押圧力を軽減する。これにより、回動軸部２１ａの外周面２１ｂと操作レバー２４の先端面２４ｂとの間の摩擦力が軽減されるので、灯体２３を回動させることができる。
【００２０】
なお、操作レバー２４の回転量を調整することにより、灯体２３の回動を可能とするとともに、手を離しても灯体２３が自重で下方へ回動するのを防止して、任意の角度で停止するようにすることができる。
【００２１】
以上、説明した本発明の第１実施形態にかかる照明器具１０によれば、灯体２３をアーム２１に対して固定したり、回動可能にしたりするのを、簡潔な構成である操作レバー２４の回転により行うことができる。また、灯体２３を回動させる際に、操作レバー２４で回動させることにより、灯体２３に直接触れることなく灯体２３を回動させることができる。
【００２２】
次に、本発明の第２実施形態にかかる照明器具について説明する。
図３は第２実施形態にかかる照明器具の斜視図である。なお、前述した第１実施形態にかかる照明器具１０と共通する部位には同じ符号を付して、重複する説明を省略することとする。
【００２３】
図３に示すように、第２実施形態にかかる照明器具１０Ｂでは、操作部として操作レバー２７と弾性体としてのスプリング２８を有しており、スプリング２８の弾性力により操作レバー２７をアーム２１の回動軸部２１ａに押し付ける。
【００２４】
灯体２３の後面２３ａには矩形枠状の操作レバー受け２９が取付けられており、操作レバー受け２９の内部における灯体２３側には、アーム２１の回動軸部２１ａが回動軸２５であるネジ２５ａによって回動可能に取付けられている。操作レバー受け２９の内部における回動軸２５に対して灯体２３と反対側には、操作レバー２７が操作レバー受け２９の内部に沿って移動可能に設けられている。操作レバー２７は、一端が操作レバー受け２９の先端面２９ａに当接し、他端が操作レバー２７に当接するスプリング２８によって、常時、操作レバー２７の先端面２７ａを回動軸部２１ａの外周面２１ｂに押し付けている。操作レバー２７には、操作レバー受け２６から外側へ突出して取っ手２７ｂが設けられている。
【００２５】
従って、常時はスプリング２８の弾性力Ｆにより操作レバー２７の先端面２７ａをアーム２１の回動軸部２１ａの外周面２１ｂに押し付けているので、操作レバー２７と回動軸部２１ａとの間に生じる摩擦力で灯体２３を固定する。一方、灯体２３をアーム２１に対して回動させて照射方向を変えたい場合には、操作レバー２７の取っ手２７ｂを、スプリング２８の付勢力に抗して灯体２３から遠ざかる方向へ移動させる。これにより、回動軸部２１ａの外周面２１ｂと操作レバー２４の先端面２４ｂとの間の摩擦力が軽減されるので、灯体２３を回動させることができる。灯体２３を回動させた後は、操作レバー２７を離せばスプリング２８により操作レバー２４が回動軸部２１ａに押し付けられるので、灯体２３は固定される。
【００２６】
なお、操作レバー２７を灯体２３から遠ざける移動量を調整することにより、灯体２３の回動を可能とするとともに、手を離しても灯体２３が自重で下方へ回動するのを防止して、任意の角度で停止するようにすることができる。
【００２７】
以上、説明した第２実施形態にかかる照明器具１０Ｂによれば、スプリング２８が操作レバー２７を回動軸部２１ａに押し付けるので、灯体２３の回動を容易に固定することができる。また、スプリング２８の弾性力を軽減することにより、容易に灯体２３を回動可能とすることができる。また、灯体２３を回動させる際に、操作レバー２７で回動させることにより、灯体２３に直接触れることなく灯体２３を回動させることができる。
【００２８】
次に、本発明の第３実施形態にかかる照明器具について説明する。
図４は第３実施形態にかかる照明器具の斜視図である。なお、前述した第１または第２実施形態にかかる照明器具１０、１０Ｂと共通する部位には同じ符号を付して、重複する説明を省略することとする。
【００２９】
図４に示すように、第３実施形態にかかる照明器具１０Ｃでは、操作部として操作レバー３１と弾性体としてのスプリング３２を有しており、操作レバー３１をアーム２１の回動軸部２１ａに押し付けて灯体２３を固定するものである。
【００３０】
灯体２３の後面２３ａには箱状または枠状の操作レバー受け３３が取付けられており、操作レバー受け３３の内部における灯体２３側には、アーム２１の回動軸部２１ａが回動軸２５であるネジ２５ａによって回動可能に取付けられている。操作レバー受け３３の内部における回動軸２５に対して灯体２３と反対側には、操作レバー３１が操作レバー受け３３の内部に沿って移動可能に設けられており、後端部（図４において右端部）は操作レバー受け３３から突出して操作ノブ３１ａが取付けられている。
【００３１】
操作レバー３１の先端部（図４において左端部）にはネジ部３１ｂが形成されており、操作レバー受け３３の内部に設けられている操作レバー受けブロック３４のネジ孔３４ａに螺合している。従って、操作ノブ３１ａを回すことにより、操作レバー３１が回転して、操作レバー受けブロック３４に対して接近または離反する。
【００３２】
従って、常時はスプリング３２の弾性力Ｆにより操作レバー３１の先端面３１ｃをアー
ム２１の回動軸部２１ａの外周面２１ｂに押し付けているので、操作レバー３１と回動軸部２１ａとの間に生じる摩擦力で灯体２３を固定する。一方、灯体２３をアーム２１に対して回動させて照射方向を変えたい場合には、操作ノブ３１ａを回転させて操作レバー３１を回動軸部２１ａから離れる方向へ移動させる。これにより、摩擦力が軽減されて、灯体２３は回動可能となる。また、再度、灯体２３を固定するには、操作ノブ３１ａを回して操作レバー３１を回動軸部２１ａに押し付けるようにする。
【００３３】
なお、操作レバー２７を灯体２３から遠ざける移動量を調整することにより、灯体２３の回動を可能とするとともに、手を離しても灯体２３が自重で下方へ回動するのを防止して、任意の角度で停止するようにすることができる。また、操作レバー３１のネジ部３１ｂおよび操作レバー受けブロック３４のネジ孔３４ａのネジ角度を浅くすることにより、操作ノブ３１ａの少しの回転により、操作レバー３４を移動させることができる。
【００３４】
以上、説明した第３実施形態にかかる照明器具１０Ｃによれば、スプリング３２が操作レバー３１を回動軸部２１ａに押し付けるので、灯体２３の回動を容易に固定することができる。また、操作ノブ３１ａを回して操作レバー３１を移動させることにより摩擦力を軽減して、容易に灯体２３を回動可能とすることができる。
【００３５】
なお、本発明の照明器具は、前述した各実施形態に限定されるものでなく、適宜な変形，改良等が可能である。
【図面の簡単な説明】
【００３６】
【図１】本発明の第１実施形態にかかる照明器具の斜視図
【図２】回動部の詳細を示す斜視図
【図３】本発明の第２実施形態にかかる照明器具の斜視図
【図４】本発明の第３実施形態にかかる照明器具の断面図
【図５】従来の照明器具の斜視図
【符号の説明】
【００３７】
１０  照明器具
２１  アーム
２１ａ  回動軸部
２３  灯体
２４，２７，３１  操作レバー（操作部）
２４ｂ、３１ｂ  ネジ部
２８，３２  スプリング（弾性体）
３０  回動部
【図１】
2009289457.tif 000003
【図２】
2009289457.tif 000004
【図３】
2009289457.tif 000005
【図４】
2009289457.tif 000006
【図５】
2009289457.tif 000007